(57)【特許請求の範囲】
【請求項１】
加熱手段により気化器を予熱し、該気化器の温度が予め設定された予熱完了温度まで上昇すると、着火動作を開始して前記気化器内に液体燃料と燃焼用空気を供給し、液体燃料を気化させると共に燃焼用空気と混合して予混合気とし、この予混合気に高圧放電により点火して着火燃焼させる燃焼制御装置において、着火動作から着火までの時間を計時するタイマー手段を備え、前記着火動作から着火までの時間が所定時間以下の時、連続正常着火回数を一回加算し、着火動作から着火までの時間が所定時間を超過した時、連続正常着火回数をリセットするカウント手段を設け、前記着火動作から着火までの時間が所定時間を超えた時、予熱完了温度を上げると共に、前記カウント手段の連続正常着火回数が所定回数以上の時、予熱完了温度を下げることを特徴とする燃焼制御装置。
【請求項２】
加熱手段により気化器を予熱し、該気化器の温度が予め設定された予熱完了温度まで上昇すると、着火動作を開始して前記気化器内に液体燃料と燃焼用空気を供給し、液体燃料を気化させると共に燃焼用空気と混合して予混合気とし、この予混合気に高圧放電により点火して着火燃焼させる燃焼制御装置において、着火動作から着火までの時間を計時するタイマー手段を備え、前記着火動作から着火までの時間が所定時間を超過した時、所定時間超過着火回数を一回加算し、着火動作から着火までの時間が所定時間以下の時、所定時間超過着火回数をリセットするカウント手段を設け、前記カウント手段の所定時間超過着火回数が所定回数以上になった時、予熱完了温度を上げることを特徴とする燃焼制御装置。
【発明の詳細な説明】
【技術分野】
【０００１】
本発明は、石油ファンヒータ等の燃焼制御装置に関するものである。
【背景技術】
【０００２】
従来、この種のものに於いては、気化器が加熱手段により予熱され、予め設定された予熱完了温度になると、液体燃料と燃焼用空気が気化器内に供給され、高圧放電を数秒間行うことにより着火される。
着火すれば、そのまま運転し、着火に失敗した場合は、気化器の気化器温度を１度目の予熱完了温度よりも高い第２の予熱完了温度に上昇させて２度目の着火動作を行うようにしていた。
（例えば、特許文献１参照。）
【先行技術文献】
【特許文献】
【０００３】
【特許文献１】特開２００４−２８６３１７号公報
【発明の概要】
【発明が解決しようとする課題】
【０００４】
ところで、この従来のものでは、燃焼制御装置を長期間使用したり変質灯油を使用したりして気化器の内部にタール等が付着して気化器の気化機能が低下し、設定された１度目の気化器の予熱完了温度では十分に灯油が気化しないために着火せず、毎回１度目の予熱完了温度よりも高い第２の予熱完了温度に上昇させた２度目の着火動作で着火する場合、１度目の着火失敗の際の未燃ガスが燃焼制御装置から室内に出て、未燃ガスの臭いがしてしまうという課題があった。
【課題を解決するための手段】
【０００５】
上記課題を解決するために、本発明の請求項１では、加熱手段により気化器を予熱し、該気化器の温度が予め設定された予熱完了温度まで上昇すると、着火動作を開始して前記気化器内に液体燃料と燃焼用空気を供給し、液体燃料を気化させると共に燃焼用空気と混合して予混合気とし、この予混合気に高圧放電により点火して着火燃焼させる燃焼制御装置において、着火動作から着火までの時間を計時するタイマー手段を備え、前記着火動作から着火までの時間が所定時間以下の時、連続正常着火回数を一回加算し、着火動作から着火までの時間が所定時間を超過した時、連続正常着火回数をリセットするカウント手段を設け、前記着火動作から着火までの時間が所定時間を超えた時、予熱完了温度を上げると共に、前記カウント手段の連続正常着火回数が所定回数以上の時、予熱完了温度を下げるものである。
【０００６】
また、請求項２では、加熱手段により気化器を予熱し、該気化器の温度が予め設定された予熱完了温度まで上昇すると、着火動作を開始して前記気化器内に液体燃料と燃焼用空気を供給し、液体燃料を気化させると共に燃焼用空気と混合して予混合気とし、この予混合気に高圧放電により点火して着火燃焼させる燃焼制御装置において、着火動作から着火までの時間を計時するタイマー手段を備え、前記着火動作から着火までの時間が所定時間を超過した時、所定時間超過着火回数を一回加算し、着火動作から着火までの時間が所定時間以下の時、所定時間超過着火回数をリセットするカウント手段を設け、前記カウント手段の所定時間超過着火回数が所定回数以上になった時、予熱完了温度を上げるものである。
【発明の効果】
【０００８】
この発明の請求項１によれば、着火動作から着火までの時間を計時するタイマー手段を備え、着火動作から着火までの時間が所定時間を超えた時、予熱完了温度を上げるので、次回の着火動作では予熱完了温度を上げたことで着火しやすくなり、次回の着火がより確実に行われるようにすることができるものである。
【０００９】
又、前記着火動作から着火までの時間が所定時間以下の時、連続正常着火回数を一回加算し、着火動作から着火までの時間が所定時間を超過した時、連続正常着火回数をリセットするカウント手段を設け、前記カウント手段の連続正常着火回数が所定回数以上になった時、予熱完了温度を下げるので、次回の着火動作で予熱完了温度を一段階下げて着火動作を行っても着火までの時間が所定時間未満かを確認することができ、予熱完了温度を一段階下げても着火までの時間が所定時間未満であれば次回もその予熱完了温度で着火を行うので、着火時の消費電力の低減及び着火時間の短縮を行うことができ、又、予熱完了温度を一段階下げて着火動作した時に着火までの時間が所定時間を超えたら、予熱完了温度は一段階下げる前の段階の温度にしなくてはいけないことが確認でき、次回の着火動作時の予熱完了温度は一段階下げる前の段階の温度で着火するので、着火がより確実に行われるようにすることができるものである。
【００１０】
又、請求項２によれば、前記着火動作から着火までの時間が所定時間を超過した時、所定時間超過着火回数を一回加算し、着火動作から着火までの時間が所定時間以下の時、所定時間超過着火回数をリセットするカウント手段を設け、前記カウント手段の所定時間超過着火回数が所定回数以上になった時、予熱完了温度を上げるので、着火するまでの時間が所定時間超過した着火が所定回数以上連続したときに予熱完了温度を一段階上げるので、何らかの原因でそのときだけ着火するまでの時間が所定時間超過しても着火時の予熱完了温度を一段階上げるのを防止して、着火時の消費電力の増加及び着火時間が長くなるのを防止することができ、又、明らかに現在の予熱完了温度では着火するまでの時間が所定時間を超過することを確認して着火時の予熱完了温度を一段階上げることで、着火がより確実に行われるようにすることができるものである。
【図面の簡単な説明】
【００１１】
【図１】この発明の一実施例を付した燃焼制御装置の断面図。
【図２】同ブロック図。
【図３】同着火制御のフローチャート図。
【図４】同その他の実施例の着火制御のフローチャート図。
【発明を実施するための形態】
【００１２】
次にこの発明に係る燃焼制御装置を図面に示す一実施例で説明する。
１は石油ファンヒーターの本体、２は液体燃料を気化する気化器、３は気化器２の側壁部に鋳込まれた加熱手段としてのシーズヒータ、４は燃料パイプ５を介して燃料タンク６内の液体燃料を気化器２に供給する電磁ポンプ、７は空気通路８を介して燃焼用空気を気化器２に供給する燃焼用ファン、９は気化器２の上部に配設され、気化された液体燃料を燃焼させるバーナーヘッド、１０はバーナーヘッド９の側壁部に開けられた多数の炎孔、１１は炎孔１０から噴出する気化ガスに高圧放電により点火するための点火プラグ、１２は炎の有無および燃焼状態を検知して信号を出力する炎検知手段、１３は本体１背面に設けられた空気取入口１４から取り入れた外部空気と燃焼熱を混合して本体１前面に設けられた温風吹出口１５から放出させる対流用ファンである。
【００１３】
１６は運転スイッチ（図示せず）や温度設定ボタン（図示せず）等を備えた操作部、１７は室温を検知する室温検知手段、１８は気化器２の温度を検知する気化器温度検知手段、１９は時間を計時するタイマー手段、２０は設定している気化器温度を記憶する記憶手段、２１は未着火動作回数や正常な所定時間を超えて着火した回数をカウントするカウント手段、２２は燃焼制御装置の運転を制御する制御部である。
【００１４】
次に図３を参照しながら動作について説明する。
まず、操作部１６の運転スイッチをＯＮすると（Ｓ１）、気化器２のシーズヒータ３に通電されて気化器２の予熱が開始する。（Ｓ２）
そして制御部２２は、気化器温度が記憶手段２０に記憶されている予熱完了温度に達したかを判断し（Ｓ３）、気化器温度が記憶手段２０に記憶されている予熱完了温度に達したと判断すると、１度目の着火動作を行い（Ｓ４）、タイマー手段１９の計時を開始する。（Ｓ５）
【００１５】
上記着火動作は、まず燃焼に必要な液体燃料は電磁ポンプ４の運転により、また燃焼用空気は燃焼用ファン７の運転により適切な空気比で気化器２内へ供給され、供給された液体燃料は気化器２内で気化し、燃焼用空気と混合し予混合気となる。
そしてこの予混合気は気化器２の上部に配設されたバーナーヘッド９の炎孔１０より噴出したところで、点火プラグ１１により高圧放電が数秒間行われ、その放電火花により着火されるものである。
【００１６】
そして制御部２２は、着火したか否かを判断し（Ｓ６）、着火しなかったと判断した時は、タイマー手段１９の計時を停止し（Ｓ７）、そしてタイマー手段１９の計時をリセットする。（Ｓ８）
そしてカウント手段２１がカウントする未着火動作回数を１回加算する。（Ｓ９）
【００１７】
そして次に制御部２２は、カウント手段２１がカウントしている未着火動作回数が所定回数以上になったかを判断し（Ｓ１０）、未着火動作回数が所定回数以上になった場合は、異常が発生したと判断して着火動作を中止し（Ｓ１１）、表示部（図示せず）にバーナ異常表示を行い（Ｓ１２）、運転を停止するものである。（Ｓ１３）
【００１８】
又、（Ｓ１０）でカウント手段２１がカウントしている未着火動作回数が所定回数未満の場合は、記憶手段２０に記憶されている予熱完了温度が最大予熱完了温度かを判断し（Ｓ１４）、記憶手段２０に記憶されている予熱完了温度が最大予熱完了温度の場合は、最大予熱完了温度でも着火しない異常状態と判断して（Ｓ１１）に進み、記憶手段２０に記憶されている予熱完了温度が最大予熱完了温度ではない場合は、記憶手段２０に記憶されている予熱完了温度を一段階上げて（Ｓ１５）、（Ｓ２）に戻るものである。
【００１９】
これにより着火が失敗する度に予熱完了温度を一段階上げて着火動作しても、連続して所定回数着火しなかった場合及び、予熱完了温度を最大予熱完了温度にして着火動作しても着火しなかった場合は、気化器２が異常であると判断して着火動作を中止してバーナ異常表示を行って運転停止するので、安全性を確保できると共に、使用者に燃焼制御装置の点検や修理を報知できるものである。
【００２０】
次に（Ｓ６）で着火した場合、制御部２２はタイマー手段１９の計時を停止し（Ｓ１６）、タイマー手段１９が計時したタイマー計時時間が所定時間以下かを判断し（Ｓ１７）、タイマー手段１９が計時したタイマー計時時間が所定時間を超えていた場合、予熱完了温度が低いと判断して、カウント手段２１の未着火動作回数を０にリセットし（Ｓ１８）、更にカウント手段２１の連続正常着火回数を０にリセットし（Ｓ１９）、記憶手段２０に記憶されている予熱完了温度を一段階上げて（Ｓ２０）、タイマー手段１９の計時をリセットして（Ｓ２１）、通常燃焼を行うものである。（Ｓ２２）
【００２１】
これにより、着火動作を開始してから着火するまでの時間が所定時間を超えていた場合は、気化器２の内部にタール等が付着して気化器２の気化機能が低下し、設定された１度目の気化器２の予熱完了温度では十分に灯油が気化しないために着火しなかったと判断し、次回の着火動作の時は予熱完了温度を一段階上げた状態で着火動作し、着火がより確実に行われるようにすることができるものである。
【００２２】
又、（Ｓ１７）でタイマー手段１９が計時したタイマー計時時間が所定時間以下の場合は、制御部２２は記憶手段２０に記憶されている予熱完了温度が初期設定温度かを判断し（Ｓ２３）、記憶手段２０に記憶されている予熱完了温度が初期設定温度の場合は（Ｓ２１）に進み、記憶手段２０に記憶されている予熱完了温度が初期設定温度以外の場合は、カウント手段２１の連続正常着火回数を一回加算する。（Ｓ２４）
【００２３】
そして、制御部２２はカウント手段２１の連続正常着火回数が所定回数以上になったかを判断し（Ｓ２５）、連続正常着火回数が所定回数以上になった場合は、記憶手段２０に記憶されている予熱完了温度を一段階下げて（Ｓ２６）、そして（Ｓ２１）へ進み、（Ｓ２５）で カウント手段２１の連続正常着火回数が所定回数未満の場合は、（Ｓ２１）へ進むものである。
【００２４】
これにより、次回の着火動作で予熱完了温度を一段階下げて着火動作を行っても着火までの時間が所定時間以下かを確認することができ、予熱完了温度を一段階下げても着火までの時間が所定時間以下であれば次回もその予熱完了温度で着火を行うので、着火時の消費電力の低減及び着火時間の短縮を行うことができ、又、予熱完了温度を一段階下げて着火動作した時に着火までの時間が所定時間を超えたら、予熱完了温度は一段階下げる前の段階の温度にしなくてはいけないことが確認でき、次回の着火動作時の予熱完了温度は一段階下げる前の段階の温度で着火するので、着火がより確実に行われるようにすることができるものである。
【００２５】
次に本発明のその他の実施例について図４を参照しながら説明する。
まず、操作部１６の運転スイッチをＯＮすると（Ｓ１）、気化器２のシーズヒータ３に通電されて気化器２の予熱が開始する。（Ｓ２）
そして制御部２２は、気化器温度が記憶手段２０に記憶されている予熱完了温度に達したかを判断し（Ｓ３）、気化器温度が記憶手段２０に記憶されている予熱完了温度に達したと判断すると、１度目の着火動作を行い（Ｓ４）、タイマー手段１９の計時を開始する。（Ｓ５）
【００２６】
上記着火動作は、まず燃焼に必要な液体燃料は電磁ポンプ４の運転により、また燃焼用空気は燃焼用ファン７の運転により適切な空気比で気化器２内へ供給され、供給された液体燃料は気化器２内で気化し、燃焼用空気と混合し予混合気となる。
そしてこの予混合気は気化器２の上部に配設されたバーナーヘッド９の炎孔１０より噴出したところで、点火プラグ１１により高圧放電が数秒間行われ、その放電火花により着火されるものである。
【００２７】
そして制御部２２は、着火したか否かを判断し（Ｓ６）、着火しなかったと判断した時は、タイマー手段１９の計時を停止し（Ｓ７）、そしてタイマー手段１９の計時をリセットする。（Ｓ８）
そしてカウント手段２１がカウントする未着火動作回数を１回加算する。（Ｓ９）
【００２８】
そして次に制御部２２は、カウント手段２１がカウントしている未着火動作回数が所定回数以上になったかを判断し（Ｓ１０）、未着火動作回数が所定回数以上になった場合は、異常が発生したと判断して着火動作を中止し（Ｓ１１）、表示部（図示せず）にバーナ異常表示を行い（Ｓ１２）、運転を停止するものである。（Ｓ１３）
【００２９】
又、（Ｓ１０）でカウント手段２１がカウントしている未着火動作回数が所定回数未満の場合は、記憶手段２０に記憶されている予熱完了温度が最大予熱完了温度かを判断し（Ｓ１４）、記憶手段２０に記憶されている予熱完了温度が最大予熱完了温度の場合は、最大予熱完了温度でも着火しない異常状態と判断して（Ｓ１１）に進み、記憶手段２０に記憶されている予熱完了温度が最大予熱完了温度ではない場合は、記憶手段２０に記憶されている予熱完了温度を一段階上げて（Ｓ１５）、（Ｓ２）に戻るものである。
【００３０】
これにより着火が失敗する度に予熱完了温度を一段階上げて着火動作しても、連続して所定回数着火しなかった場合及び、予熱完了温度を最大予熱完了温度にして着火動作しても着火しなかった場合は、気化器２が異常であると判断して着火動作を中止してバーナ異常表示を行って運転停止するので、安全性を確保できると共に、使用者に燃焼制御装置の点検や修理を報知できるものである。
【００３１】
次に（Ｓ６）で着火した場合、制御部２２はタイマー手段１９の計時を停止し（Ｓ１６）、タイマー手段１９が計時したタイマー計時時間が所定時間以下かを判断し（Ｓ１７）、タイマー手段１９が計時したタイマー計時時間が所定時間を超えていた場合、予熱完了温度が低いと判断して、カウント手段２１の未着火動作回数を０にリセットし（Ｓ１８）、更にカウント手段２１の所定時間超過着火回数を１回加算する。（Ｓ２７）
【００３２】
そして次に制御部２２は、カウント手段２１の所定時間超過着火回数が所定回数以上になったかを判断し（Ｓ２８）、所定時間超過着火回数が所定回数未満の場合は、タイマー手段１９の計時をリセットして（Ｓ２１）、通常燃焼を行うものである。（Ｓ２２）
【００３３】
又、（Ｓ２８）でカウント手段２１の所定時間超過着火回数が所定回数以上の場合は、次に記憶手段２０に記憶されている予熱完了温度が最大予熱完了温度かを判断し（Ｓ２９）、憶手段２０に記憶されている予熱完了温度が最大予熱完了温度の場合は、着火はしたものの最大予熱完了温度で着火動作しても着火するまで所定時間以上かかっているので点検をするように使用者に報知するために表示部（図示せず）にバーナ点検表示を行い（Ｓ３０）、（Ｓ２１）に進むものである。
【００３４】
又、（Ｓ２９）で  記憶手段２０に記憶されている予熱完了温度が最大予熱完了温度ではない場合、、記憶手段２０に記憶されている予熱完了温度を一段階上げて（Ｓ３２）、カウント手段２１の未着火動作回数を０にリセットし（Ｓ３２）、（Ｓ２１）に進むものである。
【００３５】
これにより着火するまでの時間が所定時間超過した着火が所定回数以上連続したときに予熱完了温度を一段階上げるので、何らかの原因でそのときだけ着火するまでの時間が所定時間超過しても着火時の予熱完了温度を一段階上げるのを防止して、着火時の消費電力の増加及び着火時間が長くなるのを防止することができ、又、明らかに現在の予熱完了温度では着火するまでの時間が所定時間超過することを確認して着火時の予熱完了温度を一段階上げることで、着火がより確実に行われるようにすることができるものである。
【符号の説明】
【００３６】
２  気化器
３  シーズヒータ
１９  タイマー手段
【図１】
0006434347.tif 000002
【図２】
0006434347.tif 000003
【図３】
0006434347.tif 000004
【図４】
0006434347.tif 000005